【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
室内機と室外機を分離して設置する壁掛け型、天井埋め込み型及び天吊り型等のエアコンディショナの室内機を室内に設置した状態で洗浄する洗浄装置において、プロパンガスボンベを熱源とするガス瞬間湯沸し器の給水口を軟質防水性の接続ホースを介して水道の蛇口に接続、他方の吐出口は耐熱軟質防水性の接続ホースを介して高圧ポンプの給水口に接続、高圧ポンプの吐出口には高圧耐熱軟質防水性の出力ホースを接続、該出力ホースの他端には洗浄ノズルを接続さらに該ガス瞬間湯沸し器のプロパンガス供給口にはガスホースを介してプロパンガスボンベを接続した構成からなることを特徴とするエアコンディショナ室内機の洗浄装置。
【手続補正２】
【補正対象書類名】明細書
【補正対象項目名】全文
【補正方法】変更
【補正の内容】
【発明の詳細な説明】
【発明の名称】プロパンガスボンベを熱源とするガス瞬間湯沸器の熱湯を使用するエアコンディショナ（以下、エアコンと略す）室内機の洗浄装置
【技術分野】
【０００１】  本発明は室内機と室外機とに分離したエアコン室内機の洗浄装置に関する。
【背景技術】
【０００２】  エアコン室内機の熱交換機アルミフィン（以下、アルミフィンと略す）や送風ファンの洗浄は前面パネルを取り外して行われるが、雑巾による払拭清掃やスプレー缶での洗浄では不十分である。そのため強アルカリ性の苛性ソーダ等の洗浄液を吹き付け、続いて該洗浄液を多量の水で洗い流す方法が採られている。従来は室内機を屋外に運び出して前記苛性ソーダの薬液を吹き付け後、多量の水で洗浄方法が採られていた。前記の課題を解決した洗浄装置についての特許を発明者等はすでに登録（特許文献１）している。以下、図１により特許文献１の技術を説明する。図１の洗浄装置は、室内機を包み込む軟質防水性の洗浄カバー１と、排水ホース５により該洗浄カバー１の下部１ｂに接続されて洗浄後の廃液を受ける廃液回収容器１２と、異なる洗浄液を貯える２つの洗浄液容器１０，１１と分岐水栓７及び洗浄ポンプ６を介して一つの洗浄液容器内の洗浄液を該洗浄カバーの前面（作業者側の面）の洗浄ノズル３の挿入孔１ａを通して前記室内機に洗浄薬液を噴射する洗浄ノズル３とで構成されている。該２つの洗浄液容器１０，１１にはアルカリ液（一般にはカセイソーダを使用している）と水道水がそれぞれ規定量入っている。最初にアルカリ液でエアコン３０の内部のアルミフィン３１と送風ファン３２に付着した汚れを目視しながら洗浄する。続いて水道水で同様にアルミフィン３１と送風ファン３２に付着した汚れを洗浄する洗浄装置である。【特許文献１】特許第３４０６０３８号
【発明の開示】
【発明が解決しようとする課題】
【０００３】  大半の汚れは前記した図１の構成の洗浄装置で問題ない性能までにきれいに洗浄できるが、焼き肉店、中華料理店などのように油類を多量に使用するところに設置してあるエアコンでは図１の構成の洗浄装置では十分な洗浄性能が得られない課題があった。前記の課題の解決策の一つとして、電気式ヒターにより加熱する高温蒸気式の洗浄機による洗浄方法が提案されているが蒸気の容量が小さく、洗浄に至るには長時間を要し機動性に欠ける課題がある。本発明はこれらの課題を解決して油汚れのエアコン室内機の内部を隅々まで能率良くきれいに洗浄する洗浄装置を提供するものである。
【課題を解決するための手段】
【０００４】  上記した課題を解決するため、本発明では、高圧ポンプの給水口（入力側）にガス瞬間湯沸し器を設置、該ガス瞬間湯沸し器に水道水を給水してプロパンガスボンベを熱源に熱湯にして高圧ポンプに供給することにより解決している。
【発明の効果】
【０００５】  図２に示した構成のエアコンの洗浄装置を考案することにより、従来の方法では十分な洗浄ができなかった油汚れを熱湯で早くきれいに洗浄することができる効果がある。さらに、熱湯は洗浄剤の洗浄能力を向上する効果及び洗浄後の機器の乾きを早くする効果を合わせ持つものである。
【発明を実施するための最良の形態】
【０００６】  以下、本発明の実施の形態を図２から図５に基づいて説明する。  図２においては、２１はガス瞬間湯沸し器、２２は２１にプロパンガスを供給するプロパンガスボンベ、２１と２２はガスホース２３で接続されている。ガス瞬間湯沸し器２１の水道水供給口（入力側）２４には接続ホース２７により水道水が供給されている。接続ホース２７の他端は水道の蛇口に接続されている。接続ホース２７は軟質防水性の合成樹脂ホースである。ガス瞬間湯沸し器２１の吐出口（出力側）２５と高圧ポンプ６の給水口（入力側）２６は接続ホース２８で接続されている。接続ホース２８は耐熱軟質防水性の合成樹脂ホースである。高圧ポンプ６の出力側には出力ホース２９及び洗浄ノズル３が接続されている。接続ホース２７、２８の接続口、２４，２５，２６はワンタッチで接続できる機構である。前記の構成の洗浄装置では洗浄ノズル３のレバーを操作することにより熱湯が出る機能とすることができる。ピストルガン式の洗浄ノズル３のレバーを引くと通水されるので水量の変化に対応して先止め式のガス瞬間湯沸し器２１のボイラーが点火して熱湯が高圧ポンプ６に供給され熱湯が洗浄ノズル３から噴射する。噴射する熱湯で油汚れ等をきれいに洗浄することができる。なお、ガス瞬間湯沸し器には通水に連動して作動する圧電式点火装置２１ａが内蔵されている。【０００７】  図３は、図２の実施例における接続ホース２７，２８の接続口、２４，２５，２６の詳細図である。全自動洗濯機等で採用されているワンタッチジョイントの接続機構を示す。２７ａはメス部、２７ｂはオス部である。２７ａ、２７ｂは嵌め合いにより結合、水が漏れないようになる。このような機構の接続部材付ホースの採用により、重量のある洗浄機６、瞬間湯沸器２１、プロパンガスボンベ２２を分解して運搬、現地にて、組み立て構成する作業を短縮することができる。【０００８】図４は第２の実施例を示す。図２に示す水道の蛇口からの水道水に換えてバケツ４１に貯えた水道水を活用してエアコン室内機の洗浄を熱湯で洗浄する方法を示した説明図である。このような構成の洗浄装置することにより水道水が遠方にあり接続ホースが届かない場合にも、洗浄できる効果がある。【０００９】図５は第３の実施例を示す。薬液タンク４２の出力とガス瞬間湯沸しの吐出口とを混合する混合水栓４３を介して該混合水栓４３の出力を高圧ポンプの給水口２６に接続する説明図である。薬液タンク内の薬液を熱湯に混合して洗浄することができる。４４は切り替えコックで、薬液を混入しないときは弁を閉じ、薬液を混入するときは弁を開く作用をする。このような構成の洗浄装置とすることにより薬液を薄めながら、規定量の薬液を噴霧、洗浄する効果がある。
【図面の簡単な説明】
【００１０】
【図１】従来の実施形態を説明する構成図
【図２】本発明の実施形態を示す構成図
【図３】本発明のホース接続部を説明する構成図
【図４】本発明の第２の実施形態を説明する構成図
【図５】本発明の第３の実施形態を説明する構成図
【符号の説明】
【００１１】１      洗浄カバー２      洗浄機３      洗浄機のノズル４      コントローラ５      排水ホース６      高圧ポンプ７      分岐水栓８      制御回路１０，１１、洗浄液容器１２    廃液回収容器２１    ガス瞬間湯沸し器２１ａ  圧電式点火装置２２    プロパンガスボンベ２３    ガスホース２４    ガス瞬間湯沸し器の給水口２５    ガス瞬間湯沸し器の吐出口２６    高圧ポンプの給水口２７、２８  接続ホース２７ａ  ワンタッチ接続（メス）２７ｂ  ワンタッチ接続（オス）３０    エアコン室内機３１    熱交換器アルミフィン３２    送風ファン４１    バケツ４２    薬液タンク４３    混合水栓４４    切り替えコック